(57)【要約】【課題】カウンタバランス部材の一端部と係合する揺動アーム部材を改造することでカウンタ作用距離もカウンタ作用方向も簡便に調整することができる踏切しゃ断機を実現。【解決手段】しゃ断桿５を昇降させる回転軸１３から径方向に延びる揺動アーム部材を２部材２１，２３に分け、更にそのアーム間係合部の連結軸部材２２の状態切替にて両揺動アーム部材２１，２３の曲折角度を鋭角から鈍角まで調整可能とし、第２揺動アーム部材２３とカウンタバランス部材２５との係合部２４からアーム間係合部２２までの距離である第２揺動アーム部材実効長（Ｌ２）を、回転軸１３の中心からアーム間係合部２２の中心までの距離である第１揺動アーム部材実効長（Ｌ１）よりも、長くする。【選択図】        図１
2018043538.tif 000002
【特許請求の範囲】
【請求項１】
しゃ断桿の昇降と連動して軸回転する回転軸と、前記回転軸から径方向に延びた第１揺動アーム部材と、前記回転軸の回転状態に応じたカウンタバランス力を発する弾性付勢部材を具備したカウンタバランス部材とを備えた踏切しゃ断機において、
前記第１揺動アーム部材の揺動部に基端部が係合されるとともに先端部が前記カウンタバランス部材に係合された第２揺動アーム部材が設けられて、前記カウンタバランス力が前記カウンタバランス部材から前記第２揺動アーム部材と前記第１揺動アーム部材とを介して前記回転軸に伝達されるようになっており、
前記第１揺動アーム部材と前記第２揺動アーム部材とのアーム間係合部が、両揺動アーム部材の曲折角度を変更しうる調整可能状態と、両揺動アーム部材の曲折角度を変更しえない固定状態との何れかに、係合状態を切り替えられるようになっている、ことを特徴とする踏切しゃ断機。
【請求項２】
前記アーム間係合部が前記曲折角度を鋭角から鈍角まで変更しうるものであることを特徴とする請求項１記載の踏切しゃ断機。
【請求項３】
前記第２揺動アーム部材と前記カウンタバランス部材との係合部から前記アーム間係合部までの距離である第２揺動アーム部材実効長が、前記回転軸の中心から前記アーム間係合部の中心までの距離である第１揺動アーム部材実効長よりも長いことを特徴とする請求項１又は請求項２に記載された踏切しゃ断機。
【請求項４】
前記第１揺動アーム部材の前記揺動部と前記第２揺動アーム部材の前記基端部との何れをも貫通する連結軸部材が前記アーム間係合部に設けられていることを特徴とする請求項１乃至請求項３の何れかに記載された踏切しゃ断機。
【請求項５】
前記第１揺動アーム部材の前記揺動部に複数の貫通穴が形成されるとともに、前記第２揺動アーム部材の前記基端部にも複数の貫通穴が形成されており、それらの貫通穴の配置が、離隔距離の等しい穴対を前記第１揺動アーム部材からも前記第２揺動アーム部材からも選出可能であり且つ両揺動アーム部材から合計で三対以上を選出可能なようになっている、ことを特徴とする請求項１乃至請求項３の何れかに記載された踏切しゃ断機。
【発明の詳細な説明】
【技術分野】
【０００１】
この発明は、軸回転駆動される主軸にて片持ち支持のしゃ断桿を揺動させる踏切しゃ断機に関し、詳しくは、主軸に係るカウンタバランス部材として重錘でなくスプリング等の弾性付勢部材を採用したウェイトレス踏切しゃ断機に関する。
【背景技術】
【０００２】
カウンタバランス部材として重錘を用いる踏切しゃ断機では、主軸からその径方向へ延びた揺動アーム部材の揺動部にカウンタバランス部材が装着されていた。
これに対し、カウンタバランス部材として弾性付勢部材を用いるようになったウェイトレス踏切しゃ断機では、カウンタバランス部材の一端部が揺動アーム部材の揺動部に係合させられるとともにカウンタバランス部材の他端部が枠部や筐体などの静止部に係合させられる（例えば特許文献１参照）。
【０００３】
そのようなウェイトレス踏切しゃ断機では、主軸に係るカウンタバランス部材の一端部を係合さる揺動アーム部材が、主軸から径方向へ延びた揺動アーム部材に限られず、減速ギヤや不等速リンク等の回転伝動機構を介して主軸と連結されている副軸から径方向へ延びた揺動アーム部材にも拡張されている（例えば特許文献１参照）。
すなわち、主軸を回転軸として或いは主軸と連動する副軸を回転軸として、何れかの回転軸に対してその径方向へ延びる揺動アーム部材が装着されるとともに、その揺動アーム部材の揺動部にカウンタバランス部材が装着されて、カウンタバランス部材の弾性による付勢力が主軸ひいてはしゃ断桿昇降駆動用モータに対して作用するようになっている。
【先行技術文献】
【特許文献】
【０００４】
【特許文献１】特開２００２−１５４４３３号公報
【発明の概要】
【発明が解決しようとする課題】
【０００５】
このような従来のウェイトレス踏切しゃ断機では、主要部が一本の棒材からなる標準的な重さのしゃ断桿と、主要部が複数本の棒材からなり標準より重い屈折式等のしゃ断桿とを、何れも装着できるようなっていた。また、そのような重さの異なるしゃ断桿を使い分ける際にカウンタバランス用の弾性付勢部材を取り替えないで共用するのを可能にするために、回転軸の中心とカウンタバランス部材の係合部位との離隔距離（以下、カウンタ作用距離とも呼ぶ）が可変調整できるようになっていた。また、カウンタバランス部材の付勢力が作用する方向（以下、カウンタ作用方向とも呼ぶ）を可変調整するときには、カウンタバランス部材と静止部との係合部位を移動させるようになっていた。
【０００６】
しかしながら、このようなカウンタバランス部材の両端部の係合位置を何れも移動させる調整方式では、調整時に複数部位を移動させなければならないので、調整作業が繁雑になりがちであった。
また、カウンタバランス部材は一般に細長いものであることから、カウンタ作用方向を大きく変更できるようにするには、静止部におけるカウンタバランス部材の他端部の可動範囲ひいては静止部におけるカウンタバランス部材係合先の係合位置調整部材をかなり大きくしておく必要があった。
【０００７】
そのため、例えば、重めのしゃ断桿を取り外し、それに代えて、軽めのしゃ断桿を取り付ける場合など、しゃ断桿の重さが標準以上のときにはカウンタバランス部材の付勢力がしゃ断桿の自重降下を抑制する範囲内でカウンタ作用距離やカウンタ作用方向を調整すれば足りたのに対し、軽量化がすすんでしゃ断桿の重さが標準よりかなり軽くなってくると、カウンタバランス部材の付勢力が大きなところだけでなく微弱なところまで調整できるようにカウンタ作用距離の可変範囲を広げたり、カウンタバランス部材の付勢力がしゃ断桿の自重降下を助長・促進するところまでカウンタ作用方向を調整できるようにカウンタ作用方向の可変範囲を広げることが必要になる。
【０００８】
特に、カウンタバランス用の弾性付勢部材が長いコイルばねのように圧縮側より引っ張り側で使用するのが望ましいものであると、その弾性付勢部材を交換しないで、そのカウンタ作用方向の可変範囲を、しゃ断桿の自重降下を抑制するところから、しゃ断桿の自重降下を助長・促進するところまで、広げるには、カウンタバランス部材の他端部が係合される静止部に設けられる係合位置調整部材の大形化が避けられない。
そこで、しゃ断桿の軽量化が進んでも上述の事項が不都合を招くのを回避すべく、カウンタバランス部材の一端部と係合する揺動アーム部材を改造することによりカウンタ作用距離もカウンタ作用方向も簡便に調整することができる踏切しゃ断機を実現することが技術的な課題となる。
【課題を解決するための手段】
【０００９】
本発明の踏切しゃ断機は（解決手段１）、このような課題を解決するために創案されたものであり、しゃ断桿の昇降と連動して軸回転する回転軸と、前記回転軸から径方向に延びた第１揺動アーム部材と、前記回転軸の回転状態に応じたカウンタバランス力を発する弾性付勢部材を具備したカウンタバランス部材とを備えた踏切しゃ断機において、
前記第１揺動アーム部材の揺動部に基端部が係合されるとともに先端部が前記カウンタバランス部材に係合された第２揺動アーム部材が設けられて、前記カウンタバランス力が前記カウンタバランス部材から前記第２揺動アーム部材と前記第１揺動アーム部材とを介して前記回転軸に伝達されるようになっており、
前記第１揺動アーム部材と前記第２揺動アーム部材とのアーム間係合部が、両揺動アーム部材の曲折角度を変更しうる調整可能状態と、両揺動アーム部材の曲折角度を変更しえない固定状態との何れかに、係合状態を切り替えられるようになっている、ことを特徴とする。
【００１０】
また、本発明の踏切しゃ断機は（解決手段２）、上記解決手段１の踏切しゃ断機であって、前記アーム間係合部が前記曲折角度を鋭角から鈍角まで変更しうるものであることを特徴とする。
【００１１】
さらに、本発明の踏切しゃ断機は（解決手段３）、上記解決手段１，２の踏切しゃ断機であって、前記第２揺動アーム部材と前記カウンタバランス部材との係合部から前記アーム間係合部までの距離である第２揺動アーム部材実効長が、前記回転軸の中心から前記アーム間係合部の中心までの距離である第１揺動アーム部材実効長よりも長いことを特徴とする。
【００１２】
また、本発明の踏切しゃ断機は（解決手段４）、上記解決手段１〜３の踏切しゃ断機であって、前記第１揺動アーム部材の前記揺動部と前記第２揺動アーム部材の前記基端部との何れをも貫通する連結軸部材が前記アーム間係合部に設けられていることを特徴とする。
【００１３】
また、本発明の踏切しゃ断機は（解決手段５）、上記解決手段１〜３の踏切しゃ断機であって、前記第１揺動アーム部材の前記揺動部に複数の貫通穴が形成されるとともに、前記第２揺動アーム部材の前記基端部にも複数の貫通穴が形成されており、それらの貫通穴の配置が、離隔距離の等しい穴対を前記第１揺動アーム部材からも前記第２揺動アーム部材からも選出可能であり且つ両揺動アーム部材から合計で三対以上を選出可能なようになっている、ことを特徴とする。
【発明の効果】
【００１４】
このような本発明の踏切しゃ断機にあっては（解決手段１）、しゃ断桿昇降用の回転軸から径方向に延びたカウンタバランス用の揺動アーム部材を第１揺動アーム部材と第２揺動アーム部材とに分けたうえで連結させて、アーム間係合部の曲折角度を調整可能にしたことにより、両揺動アーム部材の曲折角度を変更すると、揺動アーム部材とカウンタバランス部材との係合部位と、回転軸の中心との関係について、回転軸の径方向における距離（アーム実効長，カウンタ作用距離）も、回転軸の周方向における角度（アーム実効方向，カウンタ作用方向）も、変わるようになっている。すなわち、揺動アーム部材の曲折角度という一つの物理量に係る調整（以下、一の調整と呼ぶ）によって、カウンタ作用に係る距離と方向という二つの物理量が纏めて変更される。
したがって、この発明によれば、カウンタ作用距離もカウンタ作用方向も簡便に調整することができる踏切しゃ断機を実現することができる。
【００１５】
また、本発明の踏切しゃ断機にあっては（解決手段２）、アーム間係合部の曲折角度を鋭角から鈍角まで変更できるようにしたことにより、揺動アーム部材とカウンタバランス部材との係合部位を調整時に移動させることのできる弧状経路の角度範囲が広くなる。
したがって、この発明によれば、カウンタ作用距離もカウンタ作用方向も簡便に大きく調整することができる踏切しゃ断機を実現することができる。
【００１６】
さらに、本発明の踏切しゃ断機にあっては（解決手段３）、第１揺動アーム部材実効長より第２揺動アーム部材実効長を長くしたことにより、揺動アーム部材とカウンタバランス部材との係合部位を調整時に移動させることのできる弧状経路の径が伸びる。
したがって、この発明によれば、カウンタ作用距離もカウンタ作用方向も簡便に大きく調整することができる踏切しゃ断機を実現することができる。
【００１７】
また、本発明の踏切しゃ断機にあっては（解決手段４）、両揺動アーム部材の連結部に連結軸部材を採用したことにより、そこを中心にして曲折角度を連続的に変更することができるので、細かく調整することができる。
また、本発明の踏切しゃ断機にあっては（解決手段５）、両揺動アーム部材の連結部に多数の穴対を採用したことにより、二対を選出してそこに固定ピン等を挿入するといった簡便な手法にて、曲折角度を離散的ではあるが容易に変更することができるとともに変更後の連結状態を強固に維持することができる。
【図面の簡単な説明】
【００１８】
【図１】本発明の実施例１について、踏切しゃ断機の構造を示し、（ａ）が正面図、（ｂ）〜（ｅ）が背板を外した要部の背面図である。
【図２】（ａ），（ｂ）が第１揺動アーム部材と第２揺動アーム部材との連結例、（ｃ）がしゃ断桿の角度とモーメントの関係を示すグラフである。
【図３】本発明の実施例２について、踏切しゃ断機の構造を示し、（ａ）が背板を外した要部の背面図、（ｂ）が揺動アーム部材の展開斜視図、（ｃ）が揺動アーム部材の背面図、（ｄ）〜（ｇ）がカウンタバランスに係る要部の背面図である。
【図４】本発明の実施例３について、踏切しゃ断機の構造を示し、（ａ）〜（ｅ）何れも第１揺動アーム部材および第２揺動アーム部材の背面図である。
【発明を実施するための形態】
【００１９】
このような本発明の踏切しゃ断機について、これを実施するための具体的な形態を、以下の実施例１〜３により説明する。
図１〜２に示した実施例１は、上述した解決手段１〜４（出願当初の請求項１〜４）を具現化したものであり、図３に示した実施例２は、上述した解決手段１〜３，５（出願当初の請求項１〜３，５）を具現化したものであり、図４に示した実施例３は、それらの変形例である。
【００２０】
なお、図４に示した実施例３のうち、図４（ａ），（ｂ）のものは、上述した解決手段１，２，５（出願当初の請求項１，２，５）を具現化したものであり、図４（ｃ）のものは、上述した解決手段１，２（出願当初の請求項１，２）を具現化したものであり、図４（ｄ）のものは、上述した解決手段１，２，４（出願当初の請求項１，２，４）を具現化したものであり、図４（ｅ）のものは、上述した解決手段１〜４（出願当初の請求項１〜４）を具現化したものである。また、図４（ａ）〜（ｄ）のものは、実施の態様によって、上述の解決手段３（出願当初の請求項３）を具現化したものになるときがある。
【実施例１】
【００２１】
本発明の踏切しゃ断機の実施例１について、その具体的な構成を、図面を引用して説明する。図１は、踏切しゃ断機１０の構造を示し、（ａ）が正面図、（ｂ）〜（ｅ）が背板を外した要部の背面図である。また、図２は、（ａ），（ｂ）何れも第１揺動アーム部材２１と第２揺動アーム部材２３との連結例である。さらに、それらのうち図１（ｂ），（ｃ）と図２（ａ）は、しゃ断桿５が重いしゃ断桿５ａであるときの好適例であり、図１（ｄ），（ｅ）と図２（ｂ）は、しゃ断桿５が軽いしゃ断桿５ｂであるときの好適例である。
【００２２】
踏切しゃ断機１０は（図１（ａ）参照）、しゃ断桿５を片持ち支持していて、通行阻止時にはしゃ断桿５をほぼ水平状態に下降させて踏切道を遮断し（図１（ａ）の実線部分を参照）、通行許容時にはしゃ断桿５を鉛直近くまで上昇させて踏切道を解放することで（図１（ａ）の一点鎖線部分を参照）、踏切道の通行を選択的に阻止するものであるが、踏切道の幅などに応じて長さや形状などの異なるしゃ断桿５に共用できるように、さらには折損したしゃ断桿５等の交換が速やかに行えるように、踏切道の脇に設置される筐体１１と、筐体１１の外部に設けられてしゃ断桿５の基端部を保持するしゃ断桿保持部１２と、筐体１１から突き出た一端部にしゃ断桿保持部１２が装着された回転軸１３（主軸）とを具えている。
【００２３】
また、踏切しゃ断機１０は（図１（ｂ）〜（ｅ）参照）、筐体１１の内部に、ほぼ水平状態に保持されていてしゃ断桿５（５ａ又は５ｂ）の昇降と直接的に連動して軸回転する回転軸１３（主軸）と、この回転軸１３ひいてはしゃ断桿５を揺動させる駆動源としての電動モータ１６と、電動モータ１６の回転駆動力を減速させながら回転軸１３に伝達する小径ギヤ１５及び大径ギヤ１４と、電動モータ１６を制御する図示しないコントローラと、しゃ断桿５の昇降位置を規定や検出する図示しないリミッタやセンサとを具えている。
【００２４】
さらに、踏切しゃ断機１０は（図１（ｂ）〜（ｅ）参照）、回転軸１３（主軸）にカウンタバランス力を作用させるために、上記の回転軸１３から径方向に延びた第１揺動アーム部材２１と、この第１揺動アーム部材２１の揺動部に基端部が係合された第２揺動アーム部材２３と、この第２揺動アーム部材２３の先端部に一端部が係合されたカウンタバランス部材２５も、具備している。カウンタバランス部材２５は、コイルスプリング等の弾性付勢部材からなり、他端部が静止係合部２６に係合されている。静止係合部２６は、筐体１１の内面に植設されたロッド等の固定部材であり、カウンタバランス部材２５の他端部の位置を固定するが、カウンタバランス部材２５の向きは制約しない。カウンタバランス部材２５の一端部と第２揺動アーム部材２３の先端部とが係合するアーム−カウンタ係合部２４は、カウンタバランス部材２５の一端部を第２揺動アーム部材２３の先端部に随伴させるが、カウンタバランス部材２５の向きは制約しないようになっている。
【００２５】
第１揺動アーム部材２１は、基端部に図示しない回転軸連結穴が貫通形成されており、その部位と回転軸１３とが固定的に連結されていて、回転軸１３の軸回転に伴って揺動するようになっている。また、第１揺動アーム部材２１の揺動部と第２揺動アーム部材２３の基端部とが係合するアーム間係合部は、両揺動アーム部材２１，２３に貫通形成された連結穴にピン状のアーム間係合部連結軸部材２２を挿通してネジ止め等にて固定することができる構造のものが採用されて、そのネジ止め等を締めるか緩めるかで複数部材２１〜２３に係る係合状態を切り替えられるようになっている。
【００２６】
具体的には（図２（ａ），（ｂ）参照）、ネジ止め等を緩めて固定状態を解除すれば、両揺動アーム部材２１，２３の曲折角度θを変更しうる調整可能状態になり、ネジ止め等を締め込めば、両揺動アーム部材２１，２３の曲折角度θを変更しえない固定状態になり、曲折角度θを、鈍角から（図２（ａ）参照）、鋭角まで（図２（ｂ）参照）、連続的に変更しうるものとなっている。そして、アーム間係合部を固定すると、その状態では、電動モータ１６の回転駆動力が小径ギヤ１５と大径ギヤ１４とを介して回転軸１３に伝達され、それに応じて回転軸１３が軸回転し、その回転運動に応じて第１揺動アーム部材２１と第２揺動アーム部材２３とが揺動し、それに随伴してカウンタバランス部材２５の一端部が移動して、カウンタバランス部材２５の弾性付勢部材が伸縮するので、カウンタバランス力が回転軸１３の回転状態に応じて変化するとともに、そのカウンタバランス力がカウンタバランス部材２５から第２揺動アーム部材２３と第１揺動アーム部材２１とを介して回転軸１３に伝達されるようになっている。
【００２７】
さらに（図２参照）、両揺動アーム部材２１，２３の長さに関して、第１揺動アーム部材２１の実効長Ｌ１を回転軸１３の回転中心とアーム間係合部連結軸部材２２の軸心との離隔距離とし、第２揺動アーム部材２３の実効長Ｌ２をアーム間係合部連結軸部材２２の軸心とアーム−カウンタ係合部２４の中心との離隔距離としたとき、第１揺動アーム部材実効長Ｌ１よりも第２揺動アーム部材実効長Ｌ２の方が長い。そのため、曲折角度θが鈍角のときには（図２（ａ）参照）、アーム−カウンタ係合部２４が回転軸１３から見てアーム間係合部連結軸部材２２の方向と近い方向においてアーム間係合部連結軸部材２２よりも遠くへ離れ、曲折角度θが鋭角のときには（図２（ｂ）参照）、アーム−カウンタ係合部２４が回転軸１３に近づくとともに回転軸１３から見てアーム間係合部連結軸部材２２と反対側と言える方向に来る又は近づくものとなっている。
【００２８】
この実施例１の踏切しゃ断機１０について、その使用態様及び動作を、図面を引用して説明する。上述したように、図１（ｂ），（ｃ）と図２（ａ）は、しゃ断桿５が重いしゃ断桿５ａであるときの好適な連結例であり、図１（ｄ），（ｅ）と図２（ｂ）は、しゃ断桿５が軽いしゃ断桿５ｂであるときの好適な連結例である。
【００２９】
また、図２（ｃ）は、しゃ断桿５ａ，５ｂの昇降位置（角度）と各位置におけるモーメント（回転軸１３に係るモーメント，ひいてはモータ負荷）との関係を示すグラフであり、横軸は、上昇停止位置を０゜とし下降停止位置９０゜として、その範囲内で変化するしゃ断桿５の昇降位置を傾き角度［ｄｅｇ］で示しており、縦軸は、回転軸１３に作用する回転モーメント［Ｎ・ｍ］を示している。そこの各グラフＭ５ａ，Ｍ２５ａ，Ｍ５ｂ，Ｍ２５ｂのうち、重いしゃ断桿５ａによる回転軸１３のモーメントＭ５ａについては＋側が下降方向のモーメントで−側が上昇方向のモーメントであり、それに対抗するカウンタバランス用のモーメントＭ２５ａについては＋側が上昇方向のモーメントであって−側が下降方向のモーメントであり、軽いしゃ断桿５ｂによる回転軸１３のモーメントＭ５ｂについては＋側が下降方向のモーメントであって−側が上昇方向のモーメントであり、それに対抗するカウンタバランス用のモーメントＭ２５ｂについては＋側が上昇方向のモーメントであって−側が下降方向のモーメントである。
【００３０】
踏切しゃ断機１０を使用するに先だち、踏切しゃ断機１０に重いしゃ断桿５ａを保持させて昇降させる場合は、重いしゃ断桿５ａによる回転軸１３のモーメントＭ５ａが下降停止位置９０゜でとても大きくなり上昇停止位置０゜で小さくなることに応じて（図２（ｃ）実線Ｍ５ａ参照）、下降停止位置９０゜の過大なモーメントをカウンタバランス力にて小さくするために、第１揺動アーム部材２１と第２揺動アーム部材２３との曲折角度θを大きく広げて、回転軸１３の中心とアーム−カウンタ係合部２４との距離を第１揺動アーム部材実効長Ｌ１と第２揺動アーム部材実効長Ｌ２との和に近いところまで伸長させておく（図１（ｂ），（ｃ），図２（ａ）参照）。そうすると、カウンタバランス部材２５による回転軸１３のモーメントＭ２５ａが下降停止位置９０゜で大きくなり上昇停止位置０゜で小さくなり（図２（ｃ）破線Ｍ２５ａ参照）、それによって重いしゃ断桿５ａによる回転軸１３のモーメントＭ５ａが相殺されるので、電動モータ１６の最大負荷が低減される。
【００３１】
これに対し、踏切しゃ断機１０に軽いしゃ断桿５ｂを保持させて昇降させる場合は、軽いしゃ断桿５ｂによる回転軸１３のモーメントＭ５ｂが下降停止位置９０゜でも上昇停止位置０゜でもとても小さいことに応じて（図２（ｃ）一点鎖線Ｍ５ｂ参照）、上昇停止位置０゜での自重降下力の不足を補うために、第１揺動アーム部材２１と第２揺動アーム部材２３との曲折角度θを小さくして、回転軸１３の中心とアーム−カウンタ係合部２４との距離を両揺動アーム部材２１，２３の実効長Ｌ１，Ｌ２の何れよりも小さいところまで短縮させておく（図１（ｄ），（ｅ），図２（ｂ）参照）。そうすると、カウンタバランス部材２５による回転軸１３のモーメントＭ２５ｂが下降停止位置９０゜で小さくなり上昇停止位置０゜で少し大きくなり（図２（ｃ）二点鎖線Ｍ２５ｂ参照）、それによって軽いしゃ断桿５ｂによる回転軸１３のモーメントＭ５ｂが上昇停止位置０゜でしっかり補強されるので、しゃ断桿５ｂが軽いものであっても、停電等にて電動モータ１６が動作しなくなると、しゃ断桿５ｂは不都合なく自重降下する。
しかも、何れの場合でも、カウンタバランス部材２５は引っ張り状態で使用される。
【実施例２】
【００３２】
本発明の踏切しゃ断機の実施例２について、その具体的な構成を、図面を引用して説明する。図３は、踏切しゃ断機３０の構造を示し、（ａ）が背板を外した要部の背面図、（ｂ）が揺動アーム部材３１〜３８の展開斜視図、（ｃ）が揺動アーム部材３１〜３８の背面図、（ｄ）〜（ｇ）が何れも回転軸１３と揺動アーム部材３１〜３５とカウンタバランス部材２５との背面図である。また、それらのうち図３（ｄ），（ｅ）は、しゃ断桿５が重いときの好適例であり、図３（ｆ），（ｇ）は、しゃ断桿５が軽いときの好適例であり、図３（ｄ），（ｆ）はしゃ断桿５を降下させたときの状態を示し、図３（ｅ），（ｇ）はしゃ断桿５を上昇させたときの状態を示している。
【００３３】
この踏切しゃ断機３０が上述した実施例１の踏切しゃ断機１０と相違するのは（図３（ａ），（ｂ）参照）、第１揺動アーム部材２１に代えて第１揺動アーム部材３１が導入された点と、第２揺動アーム部材２３に代えて第２揺動アーム部材３４が導入された点と、一本のアーム間係合部連結軸部材２２に代わるアーム間係合部連結部材として二本のピン３７と二個の止め輪３８が導入された点と、アーム−カウンタ係合部２４に代えてアーム−カウンタ係合部３５が導入された点である。
【００３４】
第１揺動アーム部材３１は、回転軸連結穴３２の形成された基端部が第１揺動アーム部材２１と同様に回転軸１３に連結固定されるが、第１揺動アーム部材２１と異なり第１揺動アーム部材３１の揺動部には一個だけでなく複数個（図示の例では五個）の揺動部貫通穴３３が形成されている。揺動部貫通穴３３は、そのうちの一つの揺動部貫通穴３３ａを中心とした円弧上に、残り四個の揺動部貫通穴３３が総て位置している。また、第２揺動アーム部材３４は、基端部に一個だけでなく複数個（図示の例では二個）の基端部貫通穴３６が形成されている。さらに、それらの基端部貫通穴３６，３６同士の離隔距離と、上述した揺動部貫通穴３３ａと他の何れかの揺動部貫通穴３３との離隔距離とが、一致している。そのため、それらの貫通穴３３，３６の配置は、離隔距離の等しい穴対を、第１揺動アーム部材３１から四対ほど選出でき、第２揺動アーム部材３４から一対を選出できて、合計で三対以上を選出可能なものとなっている。
【００３５】
また、離隔距離の等しい穴対を第１揺動アーム部材３１の揺動部貫通穴３３から一対だけ選出するとともに第２揺動アーム部材３４の基端部貫通穴３６からも一対を選出し、それらの穴対を重ねてから、重なっている穴組３６，３３それぞれにピン３７を一本ずつ挿入し、更にピン３７の先端に止め輪３８を装着することで、第１揺動アーム部材３１と第２揺動アーム部材３４とを容易に連結できるうえ堅固な固定状態にすることができるものとなっている。しかも、そのような第１揺動アーム部材３１と第２揺動アーム部材３４とのアーム間係合部は、ピン３７の抜き差しと、その挿入対象の揺動部貫通穴３３の変更とにより、離散的ではあるが容易に、両揺動アーム部材３１，３４の曲折角度θを鋭角から鈍角まで変更しうるものとなっている（図３（ｃ）参照）。さらに、アーム−カウンタ係合部３５から上記のアーム間係合部までの距離である第２揺動アーム部材実効長Ｌ２が、回転軸１３及び回転軸連結穴３２の中心から上記のアーム間係合部（３３ａ，３７）の中心までの距離である第１揺動アーム部材実効長Ｌ１よりも長いものとなっている。
【００３６】
この場合、揺動部貫通穴３３の選出とピン３７の抜き差しというアーム間係合部に係る調整を遂行することによって、アーム−カウンタ係合部３５の両揺動アーム部材３１，３４の曲折角度θを調整することができる。この調整は離散的ではあるが容易なものであり調整後の状態は堅固なものとなる。そして、曲折角度θの調整により、回転軸１３から見たアーム−カウンタ係合部３５の距離と方向とが変更されることに伴って、回転軸１３とカウンタバランス部材２５の距離および方向とが変更されるので、回転軸１３に対するカウンタ作用に係る距離と方向とが、即ちカウンタ作用距離もカウンタ作用方向も、アーム間係合部に係る一の調整によって纏めて変更される。
【００３７】
そのため、しゃ断桿５が重いときには、踏切しゃ断機１０のときと同様に（図１（ｂ），（ｃ）参照）、踏切しゃ断機３０でも曲折角度θを広げておくことで（図３（ｄ），（ｅ）参照）、しゃ断桿５を下降させたときの過大なモーメントＭ５ａをカウンタバランス部材２５のモーメントＭ２５ａにて緩和することができる（図２（ｃ）参照）。
また、しゃ断桿５が軽いときには、踏切しゃ断機１０のときと同様に（図１（ｄ），（ｅ）参照）、踏切しゃ断機３０でも曲折角度θを狭めておくことで（図３（ｆ），（ｇ）参照）、しゃ断桿５を上昇させたときに自重降下に足りないモーメントＭ５ｂをカウンタバランス部材２５のモーメントＭ２５ｂにて補強することができる（図２（ｃ）参照）。
【実施例３】
【００３８】
本発明の踏切しゃ断機の実施例３について、その具体的な構成を、図面を引用して説明する。図４は、（ａ）〜（ｃ）が何れも第１揺動アーム部材３１および第２揺動アーム部材３４の背面図であって上述の実施例２の変形例を示しており、（ｄ），（ｅ）が何れも第１揺動アーム部材２１および第２揺動アーム部材２３の背面図であって上述の実施例１の変形例を示している。
【００３９】
図４（ａ）の踏切しゃ断機が、上述した実施例２の踏切しゃ断機３０と相違するのは、第１揺動アーム部材３１の揺動部に形成された揺動部貫通穴３３の個数が増えて穴対の選択にて第１揺動アーム部材実効長Ｌ１を変更できるようになっている点である。
図４（ｂ）の踏切しゃ断機が、上述した実施例２の踏切しゃ断機３０と相違するのは、第２揺動アーム部材３４の基端部に形成された基端部貫通穴３６の個数が増えて穴対の選択にて第２揺動アーム部材実効長Ｌ２を変更できるようになっている点である。
図４（ｃ）の踏切しゃ断機が、上述した実施例２の踏切しゃ断機３０と相違するのは、複数の基端部貫通穴３６に代えて一つの長い基端部貫通穴４１が第２揺動アーム部材３４の基端部に形成されて穴の長手方向への部材移動にて第２揺動アーム部材実効長Ｌ２を連続的に変更できるようになっている点である。
【００４０】
図４（ｄ）の踏切しゃ断機が、上述した実施例１の踏切しゃ断機１０と相違するのは、第２揺動アーム部材２３の基端部に形成されたアーム間係合部連結軸部材２２挿入用貫通穴４２が長穴にされて穴の長手方向への部材移動にて第２揺動アーム部材実効長Ｌ２を連続的に変更できるようになっている点である。
図４（ｅ）の踏切しゃ断機が、上述した実施例１の踏切しゃ断機１０と相違するのは、第１揺動アーム部材２１の揺動部に形成されたアーム間係合部連結軸部材２２挿入用貫通穴４３が長穴にされて穴の長手方向への部材移動にて第１揺動アーム部材実効長Ｌ１を連続的に変更できるようになっている点である。
【００４１】
これらの場合、アーム間係合部に係る一の調整によって、上述した実施例１，２のようにカウンタ作用距離とカウンタ作用方向とを変更することができるのに加え、曲折角度θを変更せずに揺動アーム部材実効長Ｌ１，Ｌ２を変更することも容易に行うことができるので、調整の幅が広がる。そのため、上述した重いしゃ断桿５ａと軽いしゃ断桿５ｂとの付け替えに際して部材を取り替えるまでもなく簡便かつ的確にカウンタバランス調整を行えるばかりか、それらのしゃ断桿５ａ，５ｂの中間的なしゃ断桿や、それらの範疇から外れるようなしゃ断桿についても簡便かつ的確にカウンタバランス調整を行える可能性が高い。
【産業上の利用可能性】
【００４２】
上記実施例では主軸を回転軸とした踏切しゃ断機を例示したが、本発明の適用はそれに限定される訳でなく、主軸と連動する副軸を回転軸とした踏切しゃ断機にも、本発明を適用することができる。主軸と副軸とを連動させる態様としては、両軸をリンク機構にて連結したものや（例えば特許文献１参照）、両軸に伝動ギヤ機構を介在させたものなどが、挙げられる。
また、上記実施例では一本のしゃ断桿を片持ち状態で保持して昇降させる踏切しゃ断機を例示したが、本発明の適用はそれに限定される訳でなく、本発明は、複数のしゃ断桿を片持ち状態で保持して昇降させる踏切しゃ断機にも適用することができる。
【符号の説明】
【００４３】
５…しゃ断桿、５ａ…重いしゃ断桿、５ｂ…軽いしゃ断桿、
１０…踏切しゃ断機、
１１…筐体、１２…しゃ断桿保持部、
１３…回転軸（主軸）、１４…大径ギヤ（減速伝動機構）、
１５…小径ギヤ（減速伝動機構）、１６…電動モータ（駆動部）、
２１…第１揺動アーム部材、
２２…アーム間係合部連結軸部材（アーム間係合部）、
２３…第２揺動アーム部材、
２４…アーム−カウンタ係合部（第２揺動アーム先端部）、
２５…カウンタバランス部材（弾性付勢部材）、２６…静止係合部、
３０…踏切しゃ断機、
３１…第１揺動アーム部材、
３２…回転軸連結穴（第１揺動アーム基端部）、
３３…揺動部貫通穴（第１揺動アーム揺動部，アーム間係合部）、
３４…第２揺動アーム部材、
３５…アーム−カウンタ係合部（第２揺動アーム先端部）、
３６…基端部貫通穴（第２揺動アーム基端部，アーム間係合部）、
３７…ピン（連結部材，アーム間係合部）、３８…止め輪、
Ｌ１…第１揺動アーム部材実効長、Ｌ２…第２揺動アーム部材実効長、
θ…曲折角度
【図１】
2018043538.tif 000003
【図２】
2018043538.tif 000004
【図３】
2018043538.tif 000005
【図４】
2018043538.tif 000006